(57)【要約】【課題】環境変化や経時変化によって光変調素子の応答特性が変化した場合であっても、ボケ像や二重像とフリッカの視認性を抑制させ、動画ボケを好適に低減することが出来る画像投射装置を提供すること。【解決手段】光源手段と、入力画像に基づいて前記光源手段からの光を変調する光変調手段と、前記光源手段を駆動する黒挿入駆動手段と、入力される画像データが変化した場合の前記光変調手段の応答特性を取得する取得手段と、前記取得手段の取得する応答時間に応じて前記黒挿入駆動手段の駆動設定を行う黒挿入設定手段と、を有することを特徴とする。【選択図】図１
2017173473.tif 000002
【特許請求の範囲】
【請求項１】
光源手段と、
入力画像に基づいて前記光源手段からの光を変調する光変調手段と、
前記光源手段を駆動する黒挿入駆動手段と、
入力される画像データが変化した場合の前記光変調手段の応答特性を取得する取得手段と、
前記取得手段の取得する応答時間に応じて前記黒挿入駆動手段の駆動設定を行う黒挿入設定手段と、
を有することを特徴とする画像表示装置。
【請求項２】
前記取得手段は光量計測手段を有し、前記光量計測手段を用いて前記光変調手段の応答開始及び終了時間を取得することを特徴とする請求項１に記載の画像表示装置。
【請求項３】
前記黒挿入設定手段は、取得手段の取得した前記光変調素子の応答開始時間に基づいて前記黒挿入駆動手段の黒挿入開始時間を設定することを特徴とする請求項１又は請求項２に記載の画像表示装置。
【請求項４】
前記黒挿入設定手段は、取得手段の取得した前記光変調素子の応答終了時間に基づいて前記黒挿入駆動手段の黒挿入終了時間を設定することを特徴とする請求項１乃至請求項３の何れか一項に記載の画像表示装置。
【請求項５】
前記取得手段は温度計測手段を有し、前記黒挿入設定手段が取得した温度に基づいて前記黒挿入駆動手段の黒挿入開始時間または終了時間を設定することを特徴とする請求項１乃至請求項４の何れか一項に記載の画像表示装置。
【請求項６】
前記温度計測手段は前記光変調素子の温度を計測することを特徴とする請求項１乃至請求項５の何れか一項に記載の画像表示装置。
【請求項７】
前記取得手段は駆動時間計測手段を有し、前記黒挿入設定手段が取得した駆動時間に基づいて前記黒挿入駆動手段の黒挿入開始時間または終了時間を設定することを特徴とする請求項１乃至請求項６の何れか一項に記載の画像表示装置。
【請求項８】
前記黒挿入開始時間または終了時間は、垂直同期信号を基準に決定されることを特徴とする請求項１乃至請求項７の何れか一項に記載の画像表示装置。
【請求項９】
前記黒挿入設定手段は、前記取得手段により取得される前記光変調素子の応答開始時間から応答終了時間までの時間が閾値以下の場合、黒挿入開始時間から黒挿入終了時間までの間、前記光源手段の点灯状態が消灯状態となるように前記黒挿入駆動手段の設定を行うことを特徴とする請求項１乃至請求項８の何れか一項に記載の画像表示装置。
【請求項１０】
前記黒挿入設定手段は、前記取得手段により取得される前記光変調素子の応答開始時間から応答終了時間までの時間が閾値以上の場合、黒挿入開始時間から黒挿入終了時間までの間、前記光源手段の点灯状態が消灯状態以外の状態を含むように前記黒挿入駆動手段の設定を行うことを特徴とする請求項１乃至請求項９の何れか一項に記載の画像表示装置。
【請求項１１】
前記消灯状態以外の状態が、黒挿入が行われていない第一の光源状態より暗い第二の光源状態であることを特徴とする請求項１０に記載の画像表示装置。
【請求項１２】
前記消灯状態以外の状態が、前記取得手段の結果に基づき、あらかじめ決められた黒挿入波形パターンで駆動することを特徴とする請求項１０に記載の画像表示装置。
【請求項１３】
前記黒挿入波形パターンは、光変調素子の応答カーブと逆相関になるような波形パターンであることを特徴とする請求項１２に記載の画像表示装置。
【請求項１４】
前記取得手段の取得結果と前記黒挿入設定手段が設定する設定値の相関関係を更新する黒挿入設定更新手段を有することを特徴とする請求項１乃至請求項１３の何れか一項に記載の画像表示装置。
【請求項１５】
前記黒挿入設定手段は、非黒挿入時の表示画像の明るさに対する黒挿入時の表示画像の明るさの割合を示す黒挿入輝度閾値を有し、黒挿入時の明るさの割合が前記黒挿入輝度閾値以上となるように前記黒挿入設定手段の設定を行うことを特徴とする請求項１乃至請求項１４の何れか一項に記載の画像表示装置。
【請求項１６】
前記黒挿入輝度閾値は、変更可能なことを特徴とする請求項１乃至請求項１５の何れか一項に記載の画像表示装置。
【発明の詳細な説明】
【技術分野】
【０００１】
本発明は、液晶プロジェクタなどの画像投射装置に関し、特に動画ボケの改善に関する。
【背景技術】
【０００２】
従来、光変調素子を用いた表示装置などに代表されるホールド型表示デバイスでは動画表示時に残像が視認される動画ボケと呼ばれる問題があった。この動画ボケを改善する技術としてサブフレーム期間に黒を挿入する黒挿入をいう技術が知られている。サブフレーム期間とは１フレーム期間を複数に分割した期間のことである。さらに、「黒を挿入」する方法は、光変調素子により黒を表示する方法と、画像の走査開始タイミングに基づいて光源の消点灯を行う方法が知られている。
【０００３】
黒挿入技術に関連して、特許文献１に記載の液晶表示パネルの温度に基づいて、液晶表示パネルを照明するバックライト照明期間を決定し、バックライトの消点灯を行う技術が知られている。
【０００４】
また、特許文献２に記載のパネルの応答開始タイミング及び終了タイミングを取得し、取得したタイミングに基づきバックライトの点灯及び消灯タイミングを変更する技術が知られている。
【先行技術文献】
【特許文献】
【０００５】
【特許文献１】特開２００７−１６３７０１号公報
【特許文献２】特開２０１２−１９４５３０号公報
【発明の概要】
【発明が解決しようとする課題】
【０００６】
光源制御による動画ボケを効果的に低減する為には、光源の消点灯タイミングと消灯時間の制御が重要となる。光源の消点灯タイミングに関しては、光変調素子の走査タイミングと光源消点灯タイミングが同期しない場合、二重像が発生してしまうからである。また、光源の消灯時間に関しては、消灯時間が長い程フリッカが視認されるようになるからである。また、光変調素子の応答特性は環境変化による温度変化や長期使用による経時変化によって変化するため、これらの影響も考慮した光源制御が必要となる。
【０００７】
しかしながら、上述の特許文献１に開示された従来技術では、経時変化に対する考慮がされておらず、長期使用による経時変化によって温度とバックライト点灯タイミングの相関がずれてしまう。そのため、液晶表示パネルとバックライトの同期がとれず、二重像が発生してしまう。
【０００８】
また、特許文献２に開示された従来技術では、表示パネルの応答時間が遅くなるに従い光源消灯時間が増加し、フリッカの視認性が向上してしまう。
【０００９】
そこで、本発明の目的は、環境変化や経時変化によって光変調素子の応答特性が変化した場合であっても、ボケ像や二重像とフリッカの視認性を抑制させ、動画ボケを好適に低減することが出来る画像投射装置を提供することにある。
【課題を解決するための手段】
【００１０】
上記の目的を達成するために、本発明に係る画像表示装置は、
光源手段と、入力画像に基づいて前記光源手段からの光を変調する光変調手段と、前記光源手段を駆動する黒挿入駆動手段と、入力される画像データが変化した場合の前記光変調手段の応答特性を取得する取得手段と、前記取得手段の取得する応答時間に応じて前記黒挿入駆動手段の駆動設定を行う黒挿入設定手段と、を有することを特徴とする。
【発明の効果】
【００１１】
本発明によれば、環境変化や経時変化によって光変調素子の応答特性が変化した場合であっても、ボケ像や二重像の視認性を抑制させ、動画ボケを好適に低減することが出来る画像投射装置を提供することができる。
【図面の簡単な説明】
【００１２】
【図１】実施例１におけるプロジェクタのブロック図
【図２】黒挿入駆動を示す図
【図３】動画ボケの原理と黒挿入の効果を示す図
【図４】黒挿入の失敗例を示す図
【図５】黒挿入駆動中の制御を示したフローチャート
【図６】液晶パネルの応答時間取得方法を示したフローチャート
【図７】液晶パネルの応答時間算出例
【図８】黒挿入パラメータ変更方法を示したフローチャート
【図９】黒挿入パターンを示した図
【図１０】実施例２における黒挿入パラメータ変更方法を示したフローチャート
【図１１】実施例２における黒挿入パラメータ変更のタイミングを示した図
【発明を実施するための形態】
【００１３】
以下に、本発明の好ましい実施の形態を、添付の図面に基づいて詳細に説明する。
【実施例１】
【００１４】
以下、図１乃至９を参照して、本発明の第１の実施例による、環境変化や経時変化によって光変調素子の応答特性が変化した場合であっても、ボケ像や二重像、フリッカの視認性を抑制させ、動画ボケを好適に低減することが出来る画像投射装置について説明する。
【００１５】
図１は本発明の実施形態にかかわる画像投射装置であるプロジェクタ１のブロック図である。
【００１６】
プロジェクタ１は、入力信号に応じて液晶パネル６０により変調された光を投射手段である投射レンズ９０を介して、投射像としてスクリーンなどの被投射面に投射する画像投射装置である。プロジェクタ１は、映像信号入力部１０、画像処理エンジン２０、液晶パネル３０、制御マイコン４０、操作部５０、光源ユニット６０、光センサ７０、メモリ８０、投射レンズ９０を有する。
【００１７】
映像信号入力部１０は、単一または複数の映像信号を受信する。
【００１８】
画像処理エンジン２０は映像信号入力部１０からの入力映像信号に対して各種画像処理や同期タイミングの変更を行い、処理された出力映像信号を液晶パネル３０へ出力する画像処理手段である。また、画像処理エンジン２０は、入力信号の有無にかかわらず、内部で生成された画像を出力映像信号として出力することができる。画像処理エンジン２０は、同期信号取得部２１を有する。同期信号取得部２１は、映像信号に含まれる水平同期信号と垂直同期信号を検出し、入力映像信号に含まれる各フレームの更新タイミングを取得する。
【００１９】
液晶パネル３０は、画像処理エンジン２０により変換された入力映像信号に基づいて液晶を配向させ、光源ユニット６０からの光を変調する光変調パターンを形成する。
【００２０】
制御マイコン４０は、操作部５０からの入力に従いプロジェクタ１の各部を制御するように、マイクロコンピュータから構成される制御手段である。制御マイコン４０は、光源制御部４１と黒挿入制御部４２を有する。
【００２１】
光源制御部４１は、Ｄ／Ａコンバータ制御による供給電力制御により、光源ユニット６０の発する光量を制御する。
【００２２】
黒挿入制御部４２は黒挿入設定部４２１と黒挿入駆動部４２２を有し、黒挿入に関する光源制御を行う。
【００２３】
黒挿入設定部４２１は黒挿入のタイミングと黒挿入時のＤｕｔｙ比を設定する。黒挿入駆動部４２２は黒挿入が実行されている間、黒挿入設定部４２１の設定に従って黒挿入を行う。図２に黒挿入開始時間＝１ｍｓ、黒挿入終了時間＝９ｍｓ、黒挿入時のＤｕｔｙ比＝０％の場合の光源駆動状態を示す。
【００２４】
操作部５０は、ユーザからの各種操作を受け付ける不図示のスイッチ、ボタン、リモコン受光部などから構成される。
【００２５】
光源ユニット６０は、ＬＥＤ駆動回路６１とＬＥＤユニット６２を有し、制御マイコン４０からの駆動電力に基づき、投射する光を生成する光源手段として機能する。
【００２６】
ＬＥＤ駆動回路６１は、光源制御部４１から供給される供給電力と、黒挿入駆動部４２２で駆動される駆動波形に基づいてＬＥＤユニット６２を駆動する。
【００２７】
ＬＥＤユニット６２は複数のＬＥＤから構成され、各ＬＥＤはＬＥＤ駆動回路６１から出力される駆動信号に基づき個別に光量制御される。
【００２８】
光センサ７０は、プロジェクタ１内部に配置され、液晶パネル３０が変調した光を検知する、光センシング手段として機能する。
【００２９】
メモリ８０は、プロジェクタ１駆動に関する各種設定値を記憶する記憶手段として機能する。
【００３０】
投写レンズ９０は、液晶パネル３０からの光から投影像を形成する、投射手段として機能する。
【００３１】
次に図３を使用して、黒挿入の動作について説明する。
【００３２】
図３の各グラフの横軸は時間を示しており、縦軸はある画素が黒から白へ変化する際の液晶パネル反射率、光源出力率、光出力率、出力イメージを黒挿入ＯＦＦの場合と黒挿入ＯＮの場合で比較した図である。
【００３３】
液晶パネル反射率とは、光源ユニット６１から出力された光を液晶パネル３０が反射する割合である。液晶パネル反射率は全白表示時に最大の反射率となり、全黒表示時に最小の反射率となる。光源出力率は光源ユニット６１が出力可能な光量に対する現在の光量の割合である。光源出力率は光源制御部４１による供給電力と黒挿入制御部４２による光源駆動波形に基づき決定される。光出力率は光源ユニット６１から出力された光が液晶パネル３０により変調された光における最大光量に対する現在の光量の割合である。出力イメージは、実際に投射された際の注目画素の変化を示したものである。
【００３４】
画素が黒から白へ変化する際、液晶パネル３０の立ち上がりには液晶パネル反射率のグラフに示すように数ｍｓの時間を要する。それに伴い、黒挿入ＯＦＦの場合、出力イメージに示したような液晶パネル３０の立ち上がりに起因したボケ像が発生する。黒挿入ＯＮの場合、液晶パネル３０の立ち上がり開始から終了に合わせて光源光量を低下させ、液晶パネルの立ち上がりを隠すことにより、出力イメージに示すように液晶パネル３０の立ち上がりに起因したボケ像の発生を防止できる。
【００３５】
次に、図４を使用して、黒挿入の失敗例について説明する。
【００３６】
図４の各グラフの横軸は時間を示しており、縦軸はある画素が黒から白へ変化する際の液晶パネル反射率、光源出力率、光出力率、出力イメージを示した図である。図３に示した黒挿入ＯＮとの違いは、液晶パネル反射率の立ち上がり時間とそれに起因する光出力率、出力イメージが異なる点である。なお、液晶パネル反射率の立ち上がり時間は液晶パネル３０の温度や使用時間により変化することが確認されている。
【００３７】
図４の場合、黒挿入の光源光量低下期間の前に液晶パネル３０の立ち上がり期間が発生している。そのため、出力イメージに示すように黒挿入開始前にボケ像が発生する。また今回の場合、黒挿入期間を挟んでボケ像が発生しているため、利用者には二重像として観測される。
【００３８】
図３、４を使用して注目画素が黒から白へ変化する場合の黒挿入の成功例／失敗例について説明を行ったが、注目画素が白から黒へ変化する場合であっても液晶パネル３０の立ち下がりに対する黒挿入期間の関係からで同等の結果が得られる。
【００３９】
次に、液晶パネル３０の立ち上がり／立ち下がり期間が変化した場合であってもボケ像／二重像の視認性を抑制する黒挿入方法について説明する。
【００４０】
図５は黒挿入駆動中の制御を示したフローチャートである。
【００４１】
黒挿入が開始されると、黒挿入駆動部４２２が黒挿入設定部４２１の設定値に基づき、光源ユニット６０を黒挿入駆動する。
【００４２】
ステップ１０１では、一定時間が経過したかを判断し、経過していればステップ１０２へ遷移し、経過していなければステップ１０５へ遷移する。
【００４３】
ステップ１０２では、液晶パネル３０の応答時間を取得する。液晶パネル３０の応答時間取得は、光センサ７０を使用して液晶パネル３０の応答開始時間と、応答終了時間を取得する。ここで応答開始時間とは、映像信号入力部１０から画像処理エンジン２０に入力される映像信号に含まれる垂直同期信号を検出してから、液晶パネル３０が画像処理エンジン２０から受け取った映像信号に応じて光変調を開始するまでの時間である。また応答終了時間とは、映像信号入力部１０から画像処理エンジン２０に入力される映像信号に含まれる垂直同期信号を検出してから、液晶パネル３０が画像処理エンジン２０から受け取った映像信号に応じて光変調を終了するまでの時間である。
【００４４】
図６を使用してステップ１０２で行われる液晶パネル３０の応答時間取得方法を説明する。
【００４５】
図６は液晶パネルの応答時間取得方法示したフローチャートである。
【００４６】
液晶パネル３０の応答時間取得が開始されると、ステップ１０２ａでは画像処理エンジン２０が映像信号入力部１０より入力される映像信号に含まれる垂直同期信号を検出するまで待機し、垂直同期信号が検出されるとステップ１０２ｂへ遷移する。
【００４７】
ステップ１０２ｂでは、画像処理エンジン２０が入力信号を解析し、液晶パネル３０の応答時間取得可能かを判断する。液晶パネル３０の応答時間取得可否の判定は、入力された現在フレームの輝度と前回フレームの輝度差が閾値を超える場合応答時間取得可能と判定し、閾値を超えない場合応答時間取得不可と判定する。応答時間取得可能と判定された場合ステップ１０２ｃへ遷移し、応答時間取得不可と判定された場合ステップ１０２ａへ遷移する。
【００４８】
ステップ１０２ｃでは、液晶パネル３０によって変調された光源ユニット６０が発した光の光量を光センサ７０により取得する。光量取得方法は、特定のサンプリング周期で光センサ７０の出力をＡ／Ｄ変換し、光量の時間変化を取得し続ける。
【００４９】
ステップ１０２ｄでは、画像処理エンジン２０が映像信号入力部１０より入力される映像信号に含まれる次フレームの垂直同期信号を検出するかを判定する。次フレームの垂直同期信号が検出されない場合ステップ１０２ｃへ遷移し、光量の取得を継続する。次フレームの垂直同期信号が検出された場合ステップ１０２ｅへ遷移し、光量の取得を終了する。
【００５０】
ステップ１０２ｅでは、ステップ１０２ｃで取得した光量の時間変化に含まれる最大光量と最小光量に基づいて液晶パネル３０の応答開始／終了時間を決定する。図７を用いて応答時間算出例を説明する。まず、ステップ１０２ｃで取得した複数の光量センサ７０の出力値の最大値＝ｍａｘと最小値＝ｍｉｎを求め、ｍａｘ−ｍｉｎを１００％とした際の１０％，９０％の位置を算出する。次に、算出した１０％，９０％の位置を直線で結び、ｍａｘ，ｍｉｎとの交点を算出する。そして、算出した交点の前側に位置する時間を応答開始時間、後側に位置する時間を応答終了時間とする。
【００５１】
再び図５に戻って黒挿入駆動中の制御について説明する。
【００５２】
ステップ１０３では、ステップ１０２で取得した応答開始／終了時間と黒挿入設定部４２１に設定された黒挿入開始／終了時間を比較し、それぞれの差が閾値を超えるかを判定する。閾値を超える場合はステップ１０４へ遷移し、超えない場合はステップ１０５へ遷移する。
【００５３】
ステップ１０４では、黒挿入設定部４２１に設定されている黒挿入駆動に関するパラメータの変更を行う。図８を使用して黒挿入パラメータ変更方法を説明する。
【００５４】
黒挿入パラメータの変更が開始されると、ステップ１０４ａでは黒挿入設定部４２１に設定されている黒挿入開始時間をステップ１０２ｅで算出した応答開始時間に設定する。
【００５５】
ステップ１０４ｂでは、黒挿入設定部４２１に設定されている黒挿入終了時間をステップ１０２ｅで算出した応答終了時間に設定する。
【００５６】
ステップ１０４ｃからステップ１０４ｅは黒挿入レベルの設定を行う。
【００５７】
図９を併用して黒挿入レベルの設定方法について説明する。
【００５８】
ステップ１０４ｃでは、黒挿入時間が閾値Ａ以下かを判定し、閾値Ａ以下である場合にはステップ１０４ｅへ遷移し、閾値以下でなければステップ１０４ｄへ遷移する。なお黒挿入時間とは、“黒挿入終了時間−黒挿入開始時間”で導かれる黒挿入が実施されている時間のことである。
【００５９】
ステップ１０４ｄでは、黒挿入時間が閾値Ｂ以下かを判定し、閾値Ｂ以下である場合にはステップ１０４ｆへ遷移し、閾値以下でなければステップ１０４ｇへ遷移する。
【００６０】
ステップ１０４ｅでは、図９中のパターン１のように黒挿入開始時間になると光源出力率を０％に設定し、黒挿入終了時間になると光源出力率を１００％に設定する制御を行う。このように制御することで、黒挿入中のボケ像や二重像の発生を抑制する。しかし、このような制御を行うと、黒挿入時間が長い場合、フリッカが視認されやすくなる。そこで、黒挿入時間が長い場合はステップ１０４ｆ、ｇに示す制御を行う。
【００６１】
ステップ１０４ｆでは、図９中のパターン２のように黒挿入開始時間になると光源出力率を０％でない一定の値に設定し、黒挿入終了時間になると光源出力率を１００％に設定する制御を行う。このように制御することで、ボケ像や二重像が視認されやすくなるが、黒挿入時間が長い場合であっても、フリッカの視認性を抑制することが出来る。
【００６２】
ステップ１０４ｇでは、図９中のパターン３のように黒挿入開始時間から黒挿入終了時間までの光源出力率を液晶パネル３０の応答状態に応じて変化させる。このように制御することで、黒挿入時間が長い場合であっても、黒挿入中のボケ像や二重像の発生を抑制し、かつフリッカの視認性を抑制することが出来る。
【００６３】
再び図５に戻って黒挿入駆動中の制御について説明する。
【００６４】
ステップ１０５では、黒挿入が終了したかを判定し、終了していなければステップ１０１に遷移し、終了していれば黒挿入を終了し、光源出力率を１００％で駆動する。
【００６５】
このように液晶パネル３０の応答時間に応じて黒挿入駆動方式を変更することで、応答特性が変化した場合であっても、ボケ像や二重像、フリッカの視認性を抑制させ、動画ボケを好適に低減することが出来る画像投射装置を提供することが出来る。
【００６６】
なお、本実施例に示す液晶パネル３０の応答時間取得方法や計測タイミングまた、黒挿入設定パラメータ等は一例であり、これに限定されるものではない。
【００６７】
また、本実施例では光センサ７０を使用して液晶パネル３０の応答時間を取得したが、温度や駆動時間と液晶パネル３０の応答時間の相関から応答時間を算出する等適宜変更可能である。さらに、温度や駆動時間と液晶パネル３０の応答時間の相関から応答時間を算出する場合、計測結果やユーザからの指示等によりあらかじめ設定した相関関係を更新してもよい。
【実施例２】
【００６８】
以下、図１０乃至１１を参照して、本発明の第２の実施例による、環境変化や経時変化によって光変調素子の応答特性が変化した場合であっても、ボケ像や二重像、フリッカの視認性を抑制させ、動画ボケを好適に低減することが出来る画像投射装置について説明する。実施例２はテストパターンを使用して黒挿入制御パラメータを算出する点が実施例１と異なる。実施例２では実施例１との相違点のみを説明する。相違点の無き点は実施例１と共通である。
【００６９】
図１０は実施例２における黒挿入パラメータ変更方法を示したフローチャートである。図１１は実施例２における黒挿入パラメータ変更のタイミングを示した図である。実施例２における、黒挿入パラメータの変更開始条件は使用者が操作部５０により黒挿入パラメータの変更を指定した場合である。また、黒挿入駆動中は黒挿入パラメータの変更は行わないものとする。
【００７０】
黒挿入パラメータの変更が開始されるとステップ２０１では、画像処理エンジン２０はあらかじめ設定された図１１に示されるテストパターン１を表示する。
【００７１】
ステップ２０２では、画像処理エンジン２０はあらかじめ設定された図１１に示されるテストパターン２を表示する。
【００７２】
ステップ２０３では、液晶パネル３０によって変調された光源ユニット６０が発した光の光量を光センサ７０により取得する。光量取得方法は、特定のサンプリング周期で光センサ７０の出力をＡ／Ｄ変換し、光量の時間変化を取得し続ける。
【００７３】
ステップ２０４では、テストパターン２の表示時間が１フレーム経過したかを判定し、経過していなければステップ２０３へ遷移し、経過していればステップ２０３の光量取得１を終了し、ステップ２０４へ遷移する。
【００７４】
ステップ２０５では、画像処理エンジン２０はあらかじめ設定された図１１に示されるテストパターン３を表示する。
【００７５】
ステップ２０６では、ステップ２０３と同様に液晶パネル３０によって変調された光源ユニット６０が発した光の光量を光センサ７０により取得し続ける。
【００７６】
ステップ２０７では、テストパターン３の表示時間が１フレーム経過したかを判定し、経過していなければステップ２０６へ遷移し、経過していればステップ２０６の光量取得２を終了し、ステップ２０８へ遷移する。
【００７７】
ステップ２０８では、実施例１のステップ１０２ｅで行った方法と同様の手順でステップ２０３、２０６において取得した光量の時間変化に含まれる最大光量と最小光量に基づいて液晶パネル３０の応答開始／終了時間を決定する。
【００７８】
ステップ２０９では、ステップ２０３とステップ２０６の応答開始時間を比較し、早い方を応答開始時間に設定する。
【００７９】
ステップ２１０では、ステップ２０３とステップ２０６の応答終了時間を比較し、遅い方を応答終了時間に設定する。
【００８０】
ステップ２１１では、黒挿入時間が閾値Ａ以下かを判定し、閾値Ａ以下である場合にはステップ２１３へ遷移し、閾値以下でなければステップ２１２へ遷移する。なお黒挿入時間とは、“黒挿入終了時間−黒挿入開始時間”で導かれる黒挿入が実施されている時間のことである。
【００８１】
ステップ２１２では、黒挿入時間が閾値Ｂ以下かを判定し、閾値Ｂ以下である場合にはステップ２１４へ遷移し、閾値以下でなければステップ２１５へ遷移する。
【００８２】
ステップ２１３では、黒挿入開始時間になると光源出力率を０％に設定し、黒挿入終了時間になると光源出力率を１００％に設定する制御を行う。このように制御することで、黒挿入中のボケ像や二重像の発生を抑制する。しかし、このような制御を行うと、黒挿入時間が長い場合、フリッカが視認されやすくなる。そこで、黒挿入時間が長い場合はステップ２１４、２１５に示す制御を行う。
【００８３】
ステップ２１４では、黒挿入開始時間になると光源出力率を０％でない一定の値に設定し、黒挿入終了時間になると光源出力率を１００％に設定する制御を行う。このように制御することで、ボケ像や二重像が視認されやすくなるが、黒挿入時間が長い場合であっても、フリッカの視認性を抑制することが出来る。
【００８４】
ステップ２１５では、黒挿入開始時間から黒挿入終了時間までの光源出力率をステップ２０３，２０６で取得した液晶パネル３０の応答状態に応じて変化させる。このように制御することで、黒挿入時間が長い場合であっても、黒挿入中のボケ像や二重像の発生を抑制し、かつフリッカの視認性を抑制することが出来る。
【００８５】
以上、本発明の好ましい実施形態について説明したが、本発明はこれらの実施形態に限定されず、その要旨の範囲内で種々の変形及び変更が可能である。
【符号の説明】
【００８６】
１  プロジェクタ、１０  映像信号入力部、２０  画像処理エンジン、
２１  同期信号取得部、３０  液晶パネル、４０  制御マイコン、４１  光源制御部、
４２  黒挿入制御部、４２１  黒挿入設定部、４２２  黒挿入駆動部、５０  操作部、
６０  光源ユニット、６１  ＬＥＤ駆動回路、６２  ＬＥＤユニット、７０  光センサ、
８０  メモリ、９０  投射レンズ
【図１】
2017173473.tif 000003
【図２】
2017173473.tif 000004
【図３】
2017173473.tif 000005
【図４】
2017173473.tif 000006
【図５】
2017173473.tif 000007
【図６】
2017173473.tif 000008
【図７】
2017173473.tif 000009
【図８】
2017173473.tif 000010
【図９】
2017173473.tif 000011
【図１０】
2017173473.tif 000012
【図１１】
2017173473.tif 000013